(57)【要約】【課題】複数の基地局装置Ａ１、Ａ２のそれぞれが複数の通信用チャネルを使用して移動局装置１と無線により通信する無線通信システムで、移動局装置の通信可能状態を確保する。【解決手段】基地局装置では、チャネル管理手段が自装置により使用する複数の通信用チャネルの使用状況を管理し、変更要求送信手段が管理内容に基づいて自装置における全ての通信用チャネルが使用中である場合に自装置により収容する移動局装置に対して所定の基地局変更要求を無線送信する。移動局装置では、変更要求受信手段が自装置が収容される基地局装置から無線送信された基地局変更要求を受信し、接続先変更手段が基地局変更要求が受信されたことに応じて自装置の接続先を他の基地局装置へ変更する。【選択図】  図１
2007259010.tif 000002
【特許請求の範囲】
【請求項１】
複数の基地局装置のそれぞれが複数の通信用チャネルを使用して移動局装置と無線により通信する無線通信システムにおいて、
前記基地局装置は、自装置により使用する複数の通信用チャネルの使用状況を管理するチャネル管理手段と、
前記チャネル管理手段による管理内容に基づいて自装置における全ての通信用チャネルが使用中である場合に自装置により収容する移動局装置に対して所定の基地局変更要求を無線送信する変更要求送信手段と、を備え、
前記移動局装置は、自装置が収容される基地局装置から無線送信された前記基地局変更要求を受信する変更要求受信手段と、
前記変更要求受信手段により前記基地局変更要求が受信されたことに応じて自装置の接続先を他の基地局装置へ変更する接続先変更手段と、を備えた、
ことを特徴とする無線通信システム。
【請求項２】
請求項１に記載の無線通信システムにおいて、
前記基地局装置に備えられた前記変更要求送信手段は、自装置により収容する移動局装置について当該移動局装置からの呼出があったとき又は上位の装置から当該移動局装置への呼出があったときに、自装置における全ての通信用チャネルが使用中である場合に、当該移動局装置に対して前記基地局変更要求を無線送信する、
ことを特徴とする無線通信システム。
【請求項３】
複数の基地局装置のそれぞれが複数の通信用チャネルを使用して移動局装置と無線により通信する無線通信方法において、
前記基地局装置は、自装置における全ての通信用チャネルが使用中である場合に、自装置により収容する移動局装置に対して所定の基地局変更要求を無線送信し、
前記移動局装置は、前記基地局変更要求を受信したことに応じて、自装置の接続先を他の基地局装置へ変更する、
ことを特徴とする無線通信方法。
【発明の詳細な説明】
【技術分野】
【０００１】
本発明は、移動局装置と基地局装置とが無線により通信する無線通信システムに関し、特に、移動局装置の通信可能状態を確保する無線通信システムに関する。
【背景技術】
【０００２】
例えば、市町村における消防・救急などの無線通信システムでは、複数の基地局装置を異なる場所に設置して設けるとともに、複数の移動局装置を設け、各移動局装置が通信可能な場所（例えば、近辺）に存在する基地局装置と無線により通信することで、上位の装置（例えば、通話卓）と移動局装置との間或いは複数の移動局装置の間で音声やデータなどを通信することが行われている。
また、基地局装置では、複数の通信用チャネルを使用して、マルチチャネルアクセス（ＭＣＡ：Ｍｕｌｔｉ  Ｃｈａｎｎｅｌ  Ａｃｃｅｓｓ）方式により、移動局装置との間で無線通信することが行われる。
【０００３】
図３には、無線通信システムの一例として、移動局装置２１と、２個の基地局装置Ａ２１、Ａ２２と、上位の装置である通話卓２２を示してある。
図３を参照して、通話卓２２から移動局装置２１を呼び出すが失敗する場合の動作例を示す。
通話卓２２においてオペレータ（人）により呼出操作ｄ２１が行われると、通話卓２２は呼出信号ｚ２１を呼出対象となる移動局装置２１が接続している基地局装置Ａ２１へ送信する。この基地局装置Ａ２１では、通信用チャネルが全て使用中の状態ｂ２１であり、ビジー通知ｚ２２を通話卓２２へ送信（返送）する。これに応じて、通話卓２２は呼出失敗表示ｄ２２を行い、処理を終了する。ここで、他の基地局装置Ａ２２では、通信用チャネルの空きがある状態ｃ２１であった。
このように、各基地局装置Ａ２１、Ａ２２に複数の通信用チャネルを設ける無線通信システムでは、移動局装置２１に対する呼出発信時に当該移動局装置２１が接続している基地局装置Ａ２１の通信用チャネルが全て使用中であると、ビジー通知（通信用チャネルが全使用中であることの通知）を発信局へ通知し、この呼出は失敗で終了する。
【０００４】
図４には、無線通信システムの一例として、移動局装置３１と、２個の基地局装置Ａ３１、Ａ３２を示してある。
図４を参照して、移動局装置３１から呼び出しを行うが失敗する場合の動作例を示す。
移動局装置３１においてユーザ（人）により呼出操作ａ３１が行われると、移動局装置３１は呼出信号ｚ３１を接続している基地局装置Ａ３１へ無線送信する。この基地局装置Ａ３１では、通信用チャネルの空きがあった状態ｂ３１から通信用チャネルが全て使用中の状態ｂ３２となっており、ビジー通知ｚ３２を移動局装置３１へ無線送信（無線返送）する。これに応じて、移動局装置３１は、呼出失敗表示ａ３２を行い、処理を終了する。ここで、他の基地局装置Ａ３２では、通信用チャネルの空きがある状態ｃ３１であった。
このように、各基地局装置Ａ３１、Ａ３２に複数の通信用チャネルを設ける無線通信システムでは、移動局装置３１からの呼出発信時に当該移動局装置３１が接続している基地局装置Ａ３１の通信用チャネルが全て使用中であると、ビジー通知（通信用チャネルが全使用中であることの通知）を発信局へ通知し、この呼出は失敗で終了する。
【０００５】
【特許文献１】特開平１１−３５５２３９号公報
【非特許文献１】ＡＲＩＢ  ＳＴＤ−Ｔ６１、「狭帯域デジタル通信方式（ＳＣＰＣ／ＦＤＭＡ）」、社団法人電波産業会
【非特許文献２】ＡＲＩＢ  ＳＴＤ−Ｔ７９、「市町村デジタル移動通信システム」、社団法人電波産業会
【発明の開示】
【発明が解決しようとする課題】
【０００６】
しかしながら、上述のような無線通信システムでは、移動局装置が接続している基地局装置において通信用チャネルが全て使用中であると呼出が失敗で終了するため、例えば、隣接の基地局装置において通信用チャネルに空きがある場合においても、これを使用した通信を行うことができなかった。また、呼出失敗後に、再度、通話卓又は移動局装置が呼出を行っても、同一の基地局装置に対して呼出を行うため、再び呼出失敗で終了する可能性が大きかった。
本発明は、このような従来の事情に鑑み為されたもので、移動局装置の通信可能状態を確保することができる無線通信システムを提供することを目的とする。具体的には、例えば、移動局装置が接続している基地局装置において通信用チャネルが全て使用中であるときにおいても、他の基地局装置を使用することにより通信接続を可能にする。
【課題を解決するための手段】
【０００７】
上記目的を達成するため、本発明に係る無線通信システムでは、複数の基地局装置のそれぞれが複数の通信用チャネルを使用して移動局装置と無線により通信するに際して、次のような処理を行う。
すなわち、前記基地局装置では、チャネル管理手段が自装置（当該基地局装置）により使用する複数の通信用チャネルの使用状況を管理し、また、変更要求送信手段が、前記チャネル管理手段による管理内容に基づいて、自装置における全ての通信用チャネルが使用中である場合に、自装置により収容する移動局装置に対して所定の基地局変更要求を無線送信する。
前記移動局装置では、変更要求受信手段が自装置（当該移動局装置）が収容される基地局装置から無線送信された前記基地局変更要求を受信し、また、接続先変更手段が、前記変更要求受信手段により前記基地局変更要求が受信されたことに応じて、自装置の接続先を他の基地局装置へ変更する。
【０００８】
従って、移動局装置が接続している基地局装置において通信用チャネルが全て使用中である場合に、その旨が基地局装置から移動局装置へ通知されて、移動局装置が他の基地局装置へ接続先を変更することが行われるため、例えば、移動局装置が接続している基地局装置において通信用チャネルが全て使用中であるときにおいても、他の基地局装置を使用することにより通信接続を可能にすることができ、移動局装置の通信可能状態を確保することができる。
【０００９】
ここで、基地局装置は、例えば、２以上の移動局装置のグループとの通信或いは個別の移動局装置との通信に、使用可能な複数の通信用チャネルを適宜割り当てながら、無線通信を行う。
また、基地局装置では、複数の通信用チャネルの使用状況としては、通信用チャネルの空きの有無が管理され、例えば、更に、各通信用チャネルの割当先などが管理される。
また、基地局装置では、無線により通信可能な領域に存在して管理対象となる移動局装置を収容して管理し、この場合、当該移動局装置は当該基地局装置と接続される。
また、所定の基地局変更要求の信号としては、種々な信号が用いられてもよい。
【００１０】
また、移動局装置では、基地局変更要求を受信したことに応じて、現在において接続している基地局装置とは別の基地局装置であって通信可能なものがある場合に、当該別の基地局装置へ接続先を変更する。
なお、移動局装置では、基地局変更要求を受信した場合に、接続先となり得る別の基地局装置が存在しないとき或いは存在しても接続先として好ましくないようなときには、必ずしも接続先を変更しなくてもよい。
また、移動局装置では、接続先となり得る別の基地局装置が２以上存在する場合には、例えば、無線通信レベルがより高い方の基地局装置を新たな接続先にするなど、接続先を決定するための任意の判定が用いられてもよい。
【００１１】
本発明に係る無線通信システムでは、一構成例として、次のような構成とした。
すなわち、前記基地局装置に備えられた前記変更要求送信手段は、自装置（当該基地局装置）により収容する移動局装置について当該移動局装置からの呼出があったとき又は上位の装置から当該移動局装置への呼出があったときに、自装置における全ての通信用チャネルが使用中である場合に、当該移動局装置に対して前記基地局変更要求を無線送信する。
【００１２】
従って、移動局装置からの呼出があったことを契機として、又は、上位の装置から移動局装置への呼出があったことを契機として、移動局装置の接続先を他の基地局装置へ変更することができ、特に必要なタイミングで接続先の変更を実行することができる。
ここで、移動局装置からの呼出では、例えば、上位の装置や、或いは、他の移動局装置などが呼出対象となる。
また、上位の装置としては、例えば、複数の基地局装置を統括する通話卓など、種々なものが用いられてもよい。
【００１３】
本発明は、方法として実現することも可能である。
一例として、本発明に係る無線通信方法では、複数の基地局装置のそれぞれが複数の通信用チャネルを使用して移動局装置と無線により通信するに際して、前記基地局装置は自装置における全ての通信用チャネルが使用中である場合に自装置により収容する移動局装置に対して所定の基地局変更要求を無線送信し、前記移動局装置は前記基地局変更要求を受信したことに応じて自装置の接続先を他の基地局装置へ変更する。
従って、移動局装置の通信可能状態を確保することができる。
【発明の効果】
【００１４】
以上説明したように、本発明によると、複数の基地局装置のそれぞれが複数の通信用チャネルを使用して移動局装置と無線により通信するに際して、基地局装置は全ての通信用チャネルが使用中である場合に収容する移動局装置に対して所定の基地局変更要求を無線送信し、移動局装置は基地局変更要求を受信したことに応じて接続先を他の基地局装置へ変更するようにしたため、例えば、移動局装置が接続している基地局装置における全ての通信用チャネルが使用中である場合においても、他の基地局装置における空いている通信用チャネルを利用することにより、移動局装置の通信可能状態を確保することができる。
【発明を実施するための最良の形態】
【００１５】
本発明に係る実施例を図面を参照して説明する。
【実施例１】
【００１６】
本発明の第１実施例を説明する。
図１には、本発明の一実施例に係る無線通信システムの構成例として、移動局装置１と、２個の基地局装置Ａ１、Ａ２と、上位の装置である通話卓（例えば、指令装置の操作部）２を示してある。
本例の基地局装置Ａ１、Ａ２では、複数の通信用チャネルを使用して、マルチチャネルアクセス（ＭＣＡ）方式により、移動局装置１との間で無線通信することが行われる。
【００１７】
図１を参照して、通話卓２から移動局装置１を呼び出す場合の動作例を示す。
通話卓２においてオペレータ（人）により呼出操作ｄ１が行われると、通話卓２は呼出信号ｚ１を呼出対象となる移動局装置１が接続している基地局装置Ａ１へ送信する。この基地局装置Ａ１では、通信用チャネルが全て使用中の状態ｂ１であり、ビジー通知ｚ２を通話卓２へ送信（返送）すると同時に基地局変更要求ｚ３を移動局装置１へ無線送信する。これに応じて、通話卓２は呼出失敗表示ｄ２を行う。ここで、基地局装置Ａ１に隣接して移動局装置１との間で無線通信が可能な他の基地局装置Ａ２では、通信用チャネルの空きがある状態ｃ１であるとする。
【００１８】
移動局装置１では、基地局変更要求ｚ３を受信したことに応じて、他基地局選定中（他の基地局装置を選定中であること）を示す情報ａ１を画面に表示して、他基地局選定処理（他の基地局装置を選定する処理）ａ２を開始する。ここで、移動局装置１は、他の基地局装置Ａ２を選定して、当該他の基地局装置Ａ２と接続している状態（当該他の基地局装置Ａ２により収容されて管理されている状態）ａ３になったとする。
移動局装置１が他の基地局装置Ａ２へ接続を変更した後に、通話卓２において再度オペレータにより呼出操作ｄ３が行われると、通話卓２は呼出信号ｚ４を呼出対象となる移動局装置１が接続している基地局装置Ａ２へ送信する。この基地局装置Ａ２では、通信用チャネルに空きがある状態ｃ１であり、呼出信号ｚ５を移動局装置１へ無線送信する。これにより、呼出が成立して、移動局装置１と基地局装置Ａ２との間で無線による通信ｚ６が可能となる。
【００１９】
以上のように、本例の無線通信システムでは、複数の基地局装置Ａ１、Ａ２を備え、それぞれの基地局装置Ａ１、Ａ２に複数の通信用チャネルを設けて、ＭＣＡ方式により移動局装置１による無線通信を制御するに際して、移動局装置１に対する呼出実行時に当該移動局装置１が接続していて通信に使用しようとする基地局装置Ａ１の通信用チャネルが全て使用中である場合には、このことを当該移動局装置１へ通知し、当該移動局装置１は当該通知を受信したことに応じて他の基地局装置Ａ２へ接続を変更する。
【００２０】
従って、呼出対象となる移動局装置１が接続している基地局装置Ａ１に通信用チャネルの空きが無い場合には、当該基地局装置Ａ１から当該移動局装置１へ基地局変更要求を通知し、当該移動局装置１が他の基地局装置Ａ２へ接続を変更することが行われるため、変更先の基地局装置Ａ２に通信用チャネルの空きがあれば、次回の呼出において当該移動局装置１による通信を実行することができる。このように、空き通信用チャネルを有効利用することができ、回線接続率の向上を図ることができる。
【００２１】
なお、本例の基地局装置Ａ１、Ａ２では、それぞれが使用する複数の通信用チャネルについて空きの有無などの使用状況を例えばメモリに記憶して管理する機能によりチャネル管理手段が構成されており、上位の装置（本例では、通話卓２）から移動局装置１への呼出があったときに全ての通信用チャネルが使用中である場合に当該移動局装置１へ基地局変更要求の信号を無線送信する機能により変更要求送信手段が構成されている。
また、本例の移動局装置１では、基地局装置Ａ１、Ａ２から基地局変更要求の信号を受信する機能により変更要求受信手段が構成されており、基地局変更要求の信号を受信したことに応じて接続先を他の基地局装置Ａ１、Ａ２へ変更する機能により接続先変更手段が構成されている。
【実施例２】
【００２２】
本発明の第２実施例を説明する。
図２には、本発明の一実施例に係る無線通信システムの構成例として、移動局装置１１と、２個の基地局装置Ａ１１、Ａ１２を示してある。
本例の基地局装置Ａ１１、Ａ１２では、複数の通信用チャネルを使用して、マルチチャネルアクセス（ＭＣＡ）方式により、移動局装置１１との間で無線通信することが行われる。
【００２３】
図２を参照して、本例の無線通信システムにおいて行われる動作例を示す。
移動局装置１１が接続している基地局装置Ａ１１において、通信用チャネルに空きがある状態ｂ１１から通信用チャネルが全て使用中の状態ｂ１２になると、当該移動局装置１１に対して基地局変更要求ｚ１１を無線送信する。移動局装置１１では、基地局変更要求ｚ１１を受信したことに応じて、他基地局選定中（他の基地局装置を選定中であること）を示す情報ａ１１を画面に表示して、他基地局選定処理（他の基地局装置を選定する処理）ａ１２を開始する。
【００２４】
ここで、基地局装置Ａ１１に隣接して移動局装置１１との間で無線通信が可能な他の基地局装置Ａ１２では、通信用チャネルの空きがある状態ｃ１１であるとする。そして、移動局装置１１は、他の基地局装置Ａ２を選定して、当該他の基地局装置Ａ１２と接続している状態（当該他の基地局装置Ａ１２により収容されて管理されている状態）ａ１３になったとする。
移動局装置１１が他の基地局装置Ａ１２へ接続を変更した後に、移動局装置１１においてユーザ（人）により呼出操作ａ１４が行われると、移動局装置１１は基地局装置Ａ１２へ呼出信号ｚ１２を無線送信する。これに応じて、基地局装置Ａ１２では、通信用チャネルの空きがあれば、呼出応答ｚ１３を移動局装置１１へ無線送信する。これにより、呼出が成立して、移動局装置１１と基地局装置Ａ１２との間で無線による通信ｚ１４が可能となる。
【００２５】
以上のように、本例の無線通信システムでは、複数の基地局装置Ａ１１、Ａ１２を備え、それぞれの基地局装置Ａ１１、Ａ１２に複数の通信用チャネルを設けて、ＭＣＡ方式により移動局装置１１による無線通信を制御するに際して、基地局装置Ａ１１の通信用チャネルが全て使用中である場合には、このことを接続している移動局装置１１へ通知し、当該移動局装置１１は当該通知を受信したことに応じて他の基地局装置Ａ１２へ接続を変更する。
【００２６】
従って、移動局装置１１が接続している基地局装置Ａ１１に通信用チャネルの空きが無い場合には、当該基地局装置Ａ１１から当該移動局装置１１へ基地局変更要求を通知し、当該移動局装置１１が他の基地局装置Ａ１２へ接続を変更することが行われるため、変更先の基地局装置Ａ１２に通信用チャネルの空きがあれば、次回の呼出において当該移動局装置１１による通信を実行することができる。このように、空き通信用チャネルを有効利用することができ、回線接続率の向上を図ることができる。
【００２７】
なお、本例の基地局装置Ａ１１、Ａ１２では、それぞれが使用する複数の通信用チャネルについて空きの有無などの使用状況を例えばメモリに記憶して管理する機能によりチャネル管理手段が構成されており、それぞれが使用する全ての通信用チャネルが使用中となった場合に収容する移動局装置１１へ基地局変更要求の信号を無線送信する機能により変更要求送信手段が構成されている。
また、本例の移動局装置１１では、基地局装置Ａ１１、Ａ１２から基地局変更要求の信号を受信する機能により変更要求受信手段が構成されており、基地局変更要求の信号を受信したことに応じて接続先を他の基地局装置Ａ１１、Ａ１２へ変更する機能により接続先変更手段が構成されている。
【００２８】
次に、図５及び図６を参照して、本発明を適用することが可能なシステムの一例を示す。
図５には、防災デジタル無線システムの一例である消防デジタル無線システムの構成例を示してある。
本例の消防デジタル無線システムは、操作部８１と表示部８２と記憶部８３を有する指令装置（指令卓）７１と、回線制御装置（無線回線制御装置）７２と、複数であるｐ個の基地局装置Ｇ１〜Ｇｐと、複数であるｐ個の遠隔制御器Ｈ１〜Ｈｐと、複数であるｑ個の移動局装置Ｉ１〜Ｉｑを備えている。
各移動局装置Ｉ１〜Ｉｑは、車載機９１と携帯機９２から構成されており、また、携帯機９２を置くための置台９３を有している。
【００２９】
本例の消防デジタル無線システムは、東京都など各都道府県の地域防災のために用いることができる。本例では、指令装置７１や回線制御装置７２は防災センタに設置されており、各基地局装置Ｇ１〜Ｇｐは消防署内或いはビルの上や街中や山上などの外部に設置されており、各遠隔制御器Ｈ１〜Ｈｐは消防署内に設置されており、各移動局装置Ｉ１〜Ｉｑは消防車或いは救急車などの車両に設置されている。
各車両では、例えば、車載機９１や置台９３が当該各車両に取り付けられるなどして搭載されており、携帯機９２は人により持ち運ぶことや置台９３に置くことが可能になっている。
なお、図５に示されるのと同様なシステムを複数設けて、いずれかのシステムを運用するとともに他のシステムを予備として待機させ、運用しているシステムが故障したときに予備のシステムを運用させることで全体の運用を継続させるような構成とすることも可能である。
また、基地局装置Ｇ１〜Ｇｐとの間で通信する配下の装置としては、例えば、固定機、半固定機、携帯機、可搬機など、種々なものが用いられてもよい。
【００３０】
本例の消防デジタル無線システムにおいて行われる動作の概要を示す。
指令装置７１では、操作部８１が人（指令者）により操作されることにより各種の指示や情報を入力し、表示部８２が表示対象となる各種の情報を画面に表示出力し、メモリから構成された記憶部８３が記憶対象となる各種の情報を記憶する。
指令者は、指令装置７１から配下の装置（回線制御装置７２、基地局装置Ｇ１〜Ｇｐ、遠隔制御器Ｈ１〜Ｈｐ、移動局装置Ｉ１〜Ｉｑ）へ各種の指示を送信することができる。また、指令者は、指令装置７１が配下の装置から受信した各種の情報を画面表示により見ることができる。また、必要な情報は、記憶部８３に保持される。
【００３１】
回線制御装置７２は、例えば有線で指令装置７１と複数の基地局装置Ｇ１〜Ｇｐと接続されており、これらの間の通信を中継し、また、無線回線などに関する各種の制御を行う。
各基地局装置Ｇ１〜Ｇｐは、通信可能な領域（エリア）に存在する移動局装置Ｉ１〜Ｉｑとの間で無線により通信し、また、有線で接続された各遠隔制御器Ｈ１〜Ｈｐとの間で通信する。
各遠隔制御器Ｈ１〜Ｈｐは、有線で接続された各基地局装置Ｇ１〜Ｇｐとの間で通信し、例えば、移動局装置と同様な機能を有しており、人（署員）により操作などされる。
各移動局装置Ｉ１〜Ｉｑは、当該各移動局装置Ｉ１〜Ｉｑが収容される基地局装置Ｇ１〜Ｇｐとの間で無線により通信する。
【００３２】
図６には、車載機９１の構成例及び携帯機９２の構成例を示してある。
車載機９１は、アンテナ１０１と、無線部１０２と、キー操作部１０３と、表示部１０４と、マイクを有するマイク部１０５と、例えば２つのスピーカを有するスピーカ部１０６と、メモリ１０７と、携帯インタフェース１０８と、制御部１０９を備えている。
携帯機９２は、アンテナ１１１と、無線部１１２と、キー操作部１１３と、表示部１１４と、マイクを有するマイク部１１５と、スピーカを有するスピーカ部１１６と、メモリ１１７と、車載インタフェース１１８と、制御部１１９を備えている。
ここで、車載機９１が有する内部の処理機能と携帯機９２が有する内部の処理機能は、例えばスピーカの数が異なるなどの相違はあるが、概略的には、同様である。
【００３３】
車載機９１では、無線部１０２がアンテナ１０１により基地局装置Ｇ１〜Ｇｐとの間で信号を無線送信や無線受信し、キー操作部１０３が人（使用者）からのキー操作を受け付け、表示部１０４が使用者に対して情報を画面に表示し、マイク部１０５が使用者などにより発せられる音（音声）を入力し、スピーカ部１０６が使用者に対して音（音声）を出力し、メモリ１０７が例えば呼び出されるための電話番号となる呼出情報（ＩＤ情報）を記憶し、携帯インタフェース１０８が携帯機９２の車載インタフェース１１８との間で例えば光信号により通信し、制御部１０９が各種の制御を行う。
【００３４】
同様に、携帯機９２では、無線部１１２がアンテナ１１１により基地局装置Ｇ１〜Ｇｐとの間で信号を無線送信や無線受信し、キー操作部１１３が人（使用者）からのキー操作を受け付け、表示部１１４が使用者に対して情報を画面に表示し、マイク部１１５が使用者などにより発せられる音（音声）を入力し、スピーカ部１１６が使用者に対して音（音声）を出力し、メモリ１１７が例えば呼び出されるための電話番号となる呼出情報（ＩＤ情報）を記憶し、車載インタフェース１１８が車載機９１の携帯インタフェース１０８との間で例えば光信号により通信し、制御部１１９が各種の制御を行う。
【００３５】
ここで、車載機９１のメモリ１０７に記憶される呼出情報（ＩＤ情報）と携帯機９２のメモリ１１７に記憶される呼出情報（ＩＤ情報）としては、同一の情報が設定される。
また、車載機９１と携帯機９２とは、携帯機９２が置台９３に置かれた状態では携帯インタフェース１０８と車載インタフェース１１８との間で通信することが可能であるが、例えば、携帯機９２が置台９３から取り外されて持ち運ばれる状態では携帯インタフェース１０８と車載インタフェース１１８との間では通信しない。
【００３６】
本例では、携帯機９２が置台９３にセットされている（置かれている）状態では、携帯機９２は特に機能せず、基地局装置Ｇ１〜Ｇｐからの受信や、基地局装置Ｇ１〜Ｇｐへの送信や、キー入力や、表示出力や、音声入力や、音声出力などは全て車載機９１により行われる。
一方、携帯機９２が置台９３から取り外された状態では、携帯機９２により基地局装置Ｇ１〜Ｇｐからの受信や、基地局装置Ｇ１〜Ｇｐへの送信や、キー入力や、表示出力や、音声入力や、音声出力などの全てが行われ、この状態では、車載機９１により基地局装置Ｇ１〜Ｇｐからの受信や、表示出力や、音声出力のみが行われる。つまり、車載機９１と携帯機９２とは同一の呼出情報（ＩＤ情報）が設定されており、受信は両方で同時に行うことが可能であるが、送信は片方ずつ行う構成となっている。
【００３７】
なお、置台９３から取り外された携帯機９２は、車載機９１を介さずに、基地局装置Ｇ１〜Ｇｐとの間で直接的に無線通信する。この点は、通常の親子電話の子機とは異なる点であると考えられる。
また、携帯機９２が置台９３にセットされた状態や置台９３から取り外された状態は、車載機９１や携帯機９２により検出されて、それぞれの制御部１０９、１１９によりそのときの状態に応じて実行可能な機能（或いは、実行不可能な機能）が設定される。
【００３８】
また、車載機９１では、２つのスピーカを有しており、例えば、携帯機９２が置台９３から取り外された状態では、基地局装置Ｇ１〜Ｇｐから携帯機９２へ送信される通話の内容を一のスピーカから音声出力するとともに、携帯機９２から基地局装置Ｇ１〜Ｇｐへ送信される通話の内容を他のスピーカから音声出力する。
一例として、消防車などに移動局装置Ｉ１〜Ｉｑが設けられており、当該消防車などが火災などの現場にいて、或る隊員が携帯機９２を持って当該消防車などの外部に出て活動し、他の隊員が当該消防車などの内部で待機する際に、当該他の隊員は車載機９１から出力される音声を聞くことにより、携帯機９２と基地局装置Ｇ１〜Ｇｐとの間で行われる通話の内容を聞くことができる。
なお、例えば、基地局装置Ｇ１〜Ｇｐから移動局装置Ｉ１〜Ｉｑへの下りの通信と、移動局装置Ｉ１〜Ｉｑから基地局装置Ｇ１〜Ｇｐへの上りの通信とでは、異なる周波数が用いられる。
【００３９】
また、基地局装置Ｇ１〜Ｇｐの側（例えば、指令装置７１）と移動局装置Ｉ１〜Ｉｑとの間の通信としては、例えば、プレストーク通信が行われる構成が用いられてもよく、或いは、通常の携帯電話のような両方向同時通信が行われる構成が用いられてもよく、或いは、他の態様の通信が行われる構成が用いられてもよい。また、基地局装置Ｇ１〜Ｇｐの側から移動局装置Ｉ１〜Ｉｑへ報知のための情報を送信して、移動局装置Ｉ１〜Ｉｑが当該情報の受信に応じて当該情報を（自動的に）出力するような構成を用いることもできる。
【００４０】
消防車の場合には、例えば、プレストーク通信が用いられ、指令装置７１から複数の消防車の移動局装置Ｉ１〜Ｉｑを呼び出してグループ通信（例えば、事業リンクでのグループ通信）し、このグループ内でプレストーク通信することにより、これら複数の消防車により同一の火災現場の処置を行うことができる。
救急車の場合には、例えば、通常の電話のような通信が用いられ、発話（発呼）及び受話により通話を行うことができる。
また、例えば、車載機９１と携帯機９２との間で離れた所でも無線により通信することが可能な機能を車載機９１及び携帯機９２に設けることも可能である。この場合、一例として、トンネル内などの不感地帯で携帯機９２を車両の外部に持ち出すときに、車載機９１と携帯機９２をトランシーバのように用いて互いに通話することができる。
【００４１】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４２】
【図１】本発明の第１実施例に係る無線通信システムにおける処理の手順の一例を示す図である。
【図２】本発明の第２実施例に係る無線通信システムにおける処理の手順の一例を示す図である。
【図３】無線通信システムにおける呼出と失敗に関する処理の手順の一例を示す図である。
【図４】無線通信システムにおける呼出と失敗に関する処理の手順の一例を示す図である。
【図５】消防デジタル無線システムの構成例を示す図である。
【図６】車載機及び携帯機の構成例を示す図である。
【符号の説明】
【００４３】
１、１１、２１、３１・・移動局装置、  ２、２２・・通話卓、  Ａ１、Ａ２、Ａ１１、Ａ１２、Ａ２１、Ａ２２、Ａ３１、Ａ３２・・基地局装置、
７１・・指令装置、  ７２・・回線制御装置、  ８１・・操作部、  ８２、１０４、１１４・・表示部、  ８３・・記憶部、  ９１・・車載機、  ９２・・携帯機、  ９３・・置台、  Ｇ１〜Ｇｐ・・基地局装置、  Ｈ１〜Ｈｐ・・遠隔制御器、  Ｉ１〜Ｉｑ・・移動局装置、  １０１、１１１・・アンテナ、  １０２、１１２・・無線部、  １０３、１１３・・キー操作部、  １０５、１１５・・マイク部、  １０６、１１６・・スピーカ部、  １０７、１１７・・メモリ、  １０８・・携帯インタフェース、  １０９、１１９・・制御部、  １１８・・車載インタフェース、
【図１】
2007259010.tif 000003
【図２】
2007259010.tif 000004
【図３】
2007259010.tif 000005
【図４】
2007259010.tif 000006
【図５】
2007259010.tif 000007
【図６】
2007259010.tif 000008